(57)【要約】【課題】ファンの機能・能力を最大限に発揮することができる床下換気扇を提供する。【解決手段】本発明による床下換気扇は、クロスフローファンまたはシロッコファンを用い、床基礎の換気用開口に取り付けられて、基礎内部に風を送り込み、あるいは基礎内部から空気を排出する床下換気扇において、ケーシングの風誘導部によって、前記ファンとの間に形成されたボリュート状の風誘導通路の前記ファンの周方向の少なくとも一部に、前記ファンの回転軸と実質的に直交方向に、前記ケーシングの風誘導部から前記ファンに向かって、前記ファンから所定距離隔てた位置まで延びる風誘導用板を設けたことを特徴とする。【選択図】　　図１
2004100581.tif 000002
【特許請求の範囲】
【請求項１】
クロスフローファンまたはシロッコファンを用い、床基礎の換気用開口に取り付けられて、基礎内部に風を送り込み、あるいは基礎内部から空気を排出する床下換気扇において、ケーシングの風誘導部によって、前記ファンとの間に形成されたボリュート状の風誘導通路の前記ファンの周方向の少なくとも一部に、前記ファンの回転軸と実質的に直交方向に、前記ケーシングの風誘導部から前記ファンに向かって、前記ファンから所定距離隔てた位置まで延びる風誘導用板を設けたことを特徴とする床下換気扇。
【請求項２】
前記所定距離が、１〜１５ｍｍに設定されている請求項１の床下換気扇。
【請求項３】
前記所定距離が３〜１０ｍｍである請求項２の床下換気扇。
【請求項４】
前記風誘導用板が、少なくとも前記ファンの両端の外側部のそれぞれに設けられている請求項１〜３のいずれかの床下換気扇。
【請求項５】
前記風誘導用板が前記ファンの軸方向に間隔を隔てて複数枚設けられており、前記間隔が１００ｍｍ以下である請求項１〜４のいずれかの床下換気扇。
【請求項６】
前記間隔が３０〜５０ｍｍである請求項５の床下換気扇。
【請求項７】
前記風誘導用板の厚さが１〜３ｍｍである請求項１〜６のいずれかの床下換気扇。
【請求項８】
前記風誘導用板の長さが、前記風誘導通路の長さの１／４以上である請求項１〜７のいずれかの床下換気扇。
【請求項９】
前記風誘導用板が、風誘導通路の出口側から延びている請求項８の床下換気扇。
【発明の詳細な説明】
【０００１】
【産業上の利用分野】
本発明は、床下換気扇に関し、更に詳細には、クロスフローファンまたはシロッコファンを用い、床基礎の換気用開口に取り付けられて、基礎内部に風を送り込み、あるいは基礎内部から空気を排出する床下換気扇に関するものである。
【０００２】
【従来の技術】
上記したような床下換気扇としては、例えば、実開平６−３４１９３号公報等に開示されたものが知られている。
このような床下換気扇においては、クロスフローファンやシロッコファンによって生成された風を、ケーシングの風誘導部によって前記ファンとの間に形成されたボリュート状の風誘導通路に沿い排気口に導くようになっている。
【０００３】
【特許文献１】
実開平６−３４１９３号公報
【０００４】
【発明が解決しようとする課題】
上記したような床下換気扇においては、上記のケーシングの風誘導部は、ファンとの距離が近いほど風を排気方向へ導くことができるが、同時に騒音値も上昇してしまうため、必然的にある程度の距離を設けなければならなかった。そこで、従来床下換気扇では、ケーシングの風誘導部とファンとの間の間隔により、風が拡散または乱反射して風量・風速などが最大限に発揮されなかったり、内部で空気が留まり排出されない風が生じてしまうという問題が生じていた。
そこで、本発明は、ファンの機能・能力を最大限に発揮することができる床下換気扇を提供することを目的とするものである。
【０００５】
【課題を解決するための手段】
上記課題は、本発明の下記（１）〜（９）のいずれかの構成の床下換気扇により達成される。
（１）　クロスフローファンまたはシロッコファンを用い、床基礎の換気用開口に取り付けられて、基礎内部に風を送り込み、あるいは基礎内部から空気を排出する床下換気扇において、ケーシングの風誘導部によって、前記ファンとの間に形成されたボリュート状の風誘導通路の前記ファンの周方向の少なくとも一部に、前記ファンの回転軸と実質的に直交方向に、前記ケーシングの風誘導部から前記ファンに向かって、前記ファンから所定距離隔てた位置まで延びる風誘導用板を設けたことを特徴とする床下換気扇。
（２）　前記所定距離が、１〜１５ｍｍに設定されている上記（１）の床下換気扇。
（３）　前記所定距離が３〜１０ｍｍである上記（２）の床下換気扇。
（４）　前記風誘導用板が、少なくとも前記ファンの両端の外側部のそれぞれに設けられている上記（１）〜（３）のいずれかの床下換気扇。
（５）　前記風誘導用板が前記ファンの軸方向に間隔を隔てて複数枚設けられており、前記間隔が１００ｍｍ以下である上記（１）〜（４）のいずれかの床下換気扇。
（６）　前記間隔が３０〜５０ｍｍである上記（５）の床下換気扇。
（７）　前記風誘導用板の厚さが１〜３ｍｍである上記（１）〜（６）のいずれかの床下換気扇。
（８）　前記風誘導用板の長さが、前記風誘導通路の長さの１／４以上である上記（１）〜（７）のいずれかの床下換気扇。
（９）　前記風誘導用板が、風誘導通路の出口側から延びている上記（８）の床下換気扇。
【０００６】
【発明の作用・効果】
本考案の床下換気扇においては、上記したようにボリュート状の風誘導通路の前記ファンの周方向の少なくとも一部に風誘導用板を設けたので、この風誘導用板により、風が整流され、上記従来床下換気扇の問題点が解決され、ファンの機能・能力を最大限に発揮することができる。
【０００７】
【考案の実施の形態】
以下、添付図面を参照しつつ、本考案の実施の形態による床下換気扇について詳細に説明する。
図１および図２は、本考案の実施の形態による床下換気扇の斜視図（明瞭のため、ケーシングは一点差線で示した）および横断面図であり、この床下換気扇１０は、クロスフローファンまたはシロッコファンであるファン１２およびそれを収容するケーシング１４を備えている。このケーシング１４においては、図２において右下に吸気口１６が、そして左上に吹き出し口１８がそれぞれ設けられている。
【０００８】
そして、上記ファン１２の図２において上方には、ボリュート状の風誘導通路２２が設けられている。この風誘導通路２２は、このケーシング１４の吸気口１６から吹き出し口１８に至る風誘導部２０とファン１２の間に形成されている。また、吹き出し口１８の下部には、堤防状の案内部材２４がファン１２に沿って設けられ、吸気効率を向上させている。
【０００９】
上記風誘導通路２２の上記ファン１２の周方向の少なくとも一部には、前記ファンの回転軸と実質的に直交方向に、前記ケーシングの風誘導部から前記ファンに向かって（図２においては下方に）、上記ファン１２から所定距離ａ隔てた位置まで延びる風誘導用板２６が設けられている。この所定距離ａは、１〜１５ｍｍ、特に３〜１０ｍｍ程度が好ましい。この距離ａが上記の範囲未満であると、風誘導用板がファンに近すぎ、風切り音が生じてしまい、一方、上記範囲を超えると、風誘導用板がファンから遠すぎて風が拡散してしまう。
【００１０】
この風誘導用板２６は、上記風誘導通路２２のファン１２に沿った長さ方向の少なくとも一部に設けられていれば、その作用・効果を発揮することができるが、好ましくその長さ方向の４分の１以上の長さであることが好ましい。また、この風誘導用板２６は、風誘導通路２２の出口側から設けられていることが好ましい。すなわち、この風誘導用板２６は、風誘導通路２２の出口側から少なくとも１／４占めるように配置することが好ましい。風誘導用板２６を風誘導通路２２のほぼ全長に沿って設ける場合の例を、図３に示した。
上記風誘導用板２６の厚さは、１〜３ｍｍ程度であることが好ましい。この風誘導用板２６は厚みが上記範囲未満であると、風により振動して風切り音が発生する場合があるため、一方上記の範囲を超えると、風の抵抗を受け、初期の目的を達成できなくなるからである。
【００１１】
また、上記の風誘導用板２６は、ファン１２の軸方向の長さに応じて２枚以上設けることが好ましい。ケーシング１４の側壁と風誘導用板２６との間隔は、２０ｍｍ以下が好ましく、風誘導用板２６同士の間隔は、１００ｍｍ以下、特に３０〜５０ｍｍが好ましい。上記の間隔が以上の値にあるとき、ファンの機能を効率よく発揮することができる。上記風誘導用板２６は、上記ファン１２の両端の外側部に少なくとも設けられていることが好ましい。
【００１２】
本床下換気扇１０は、図４に示したように、床の基礎Ｂに設けられた通風口Ｃに取り付けられて使用される。
なお、上記した例では、床下換気扇を基礎内部に風を送り込むタイプのものに付いて説明したが、基礎内部の湿った空気を外部に排出するタイプとしてもよい。
【００１３】
【実施例】
図１および２に示した構造で、ファン１２として、直径９０．４ｍｍ、軸方向長さ１８８ｍｍのクロスフローファンを用い、風誘導用板２６として厚さ２ｍｍのものを６枚用い、風誘導用板同士の間隔は、左右端の間隔を３２．２６ｍｍ、残りの中央の３間隔を４２．１４ｍｍとして、実施例の床下換気扇を作製した。一方、風誘導用板が設置されていないこと以外は上記実施例のものと同じ構造の床下換気扇を作製し、これを比較例用とした。
【００１４】
以上の実施例と比較例の床下換気扇を用い、同じモータを用いて１００Ｖ、６０Ｈｚで実際に作動させ、それぞれの吹き出し風量（ｍ３／ｈ）および静圧（Ｐａ）を測定した。その結果を下記する。なお、下記の値は、３回測定した結果の平均値である。
【００１５】
2004100581.tif 000003
【００１６】
以上から分かるように、本実施例の場合は、比較例のものに比べて、吹き出し風量で約１．４倍、静圧で約１．２倍強となった。
以上から本発明の効果が明らかである。
【図面の簡単な説明】
【図１】本発明の実施の形態による床下換気扇の斜視図である。
【図２】図１の線Ａ−Ａに沿う断面図である。
【図３】本発明の実施の形態の床下換気扇の変形例の構造を示す概略図である。
【図４】図１および２に示した床下換気扇を基礎に設けた通風口に取り付けた状態を示した図である。
【符号の簡単な説明】
１０　床下換気扇
１２　ファン
１４　ケーシング
１６　吸気口
１８　吹き出し口
２０　ケーシング１４の風誘導部
２２　風誘導通路
２４　案内部材
２６　風誘導用板
【図１】
2004100581.tif 000004
【図２】
2004100581.tif 000005
【図３】
2004100581.tif 000006
【図４】
2004100581.tif 000007